(57)【要約】      （修正有）【課題】使用者および使用者以外の確認者が一目で金額（全額）を確認できる紙幣収納祝儀袋・不祝儀袋を提供する。【解決手段】祝儀袋・不祝儀袋１の内側に紙製の仕切り２ａ〜２ｃ、３やポケット、又はビニール製のポケットを設け、紙幣７を所定の箇所に一定の間隔で収められるようにすることで、収納した紙幣の枚数の可視化を図り、同封した紙幣の枚数（金額）を簡便に視認できるようにし、且つ、袋の裏面に小窓５を設け、外側からも袋を開封することなく同様の効果（紙幣の枚数の可視化）を得られるようにする。【選択図】図４
0003204389.tif 000002
【実用新案登録請求の範囲】
【請求項１】
祝儀袋・不祝儀袋の内側に紙幣収納を目的とした複数の紙製の仕切りやポケット、又はビニール製のポケットを設け、紙幣を所定の箇所に一定の間隔で固定しながら収められるようにし、祝儀袋・不祝儀袋の使用者が同封する紙幣の枚数（金額）を簡便に視認できる紙幣収納祝儀・不祝儀袋。
【請求項２】
祝儀袋・不祝儀袋を開封せずに、袋裏面の小窓で内部に収められた紙幣の枚数（金額）を視認できることを特徴とする、請求項１に関わる紙幣収納祝儀・不祝儀袋。
【考案の詳細な説明】
【技術分野】
【０００１】本考案は使用者および使用者以外の確認者が一目で金額（全額）を確認できる祝儀袋・不祝儀袋に関するものである。
【背景技術】
【０００２】現在、汎用されている紙幣を無造作に重ねて収納する祝儀袋・不祝儀袋は、中の金員の精確な金額を確認する場合、一度、袋を開封して紙幣を取り出した後、一枚一枚数える必要があり、そのための手間や時間を要する。
【先行技術文献】
【特許文献】
【０００３】
【特許文献１】特開２００１−１３０５８３
【考案の概要】
【考案が解決しようとする課題】
【０００４】祝儀袋・不祝儀袋を使用する者が中に収めた紙幣の金額を再確認しようとする場合、紙幣を一度すべて取り出し、一枚一枚紙幣を数える必要があり、きちんと数えたつもりでも、時には内封した金額に誤りが起こる可能性がある。また、使用者以外の第三者が祝儀袋・不祝儀袋に同封された紙幣の金額を確認する必要がある際、状況によっては使用者の目の前で開封し、使用者を待たせて一枚一枚紙幣を数える必要があり、時間を要し、且つ、使用者を待たせることなどによる心的ストレスが生じる。
【課題を解決するための手段】
【０００５】本考案は祝儀袋・不祝儀袋の内側に複数の紙製の仕切りやポケット、又はビニール製のポケットを設け、紙幣を所定の箇所に一定の間隔で収められるようにすることで、収納した紙幣の枚数の可視化を図り、同封した紙幣の枚数（金額）を簡便に視認できるようにし、且つ、袋の裏面に小窓を設け、袋を開封することなく外側からも同様の効果（紙幣の枚数の可視化）を得られるようにすることで課題の解決が図られる。
【考案の効果】
【０００６】紙幣を袋の内側の所定の箇所に一定の間隔で収めることにより、再度金額を確認する必要が生じた際には、一度収納した紙幣を再び袋から取り出して数える必要がなく、中を視認すれば金額の把握を容易に行うことができる。また、袋の裏側に小窓を設け、前述した収納の効果を小窓からも反映させることにより、使用者以外の第三者が祝儀袋・不祝儀袋に収められた金員を確認する必要がある場合、祝儀袋・不祝儀袋を使用者の目の前で開封して一枚一枚紙幣を数えることなく小窓の目視のみで金額を確認でき、確認作業の負担が軽減される。
【図面の簡単な説明】
【０００７】
【図１】  本考案祝儀袋・不祝儀袋の展開図である。
【図２】  本考案祝儀袋・不祝儀袋の展開図である。
【図３】  本考案祝儀袋・不祝儀袋の展開図である。
【図４】  本考案祝儀袋・不祝儀袋で紙幣を１枚収納した際の実施例である。
【図５】  本考案祝儀袋・不祝儀袋で紙幣を３枚収納した際の実施例である。
【図６】  本考案祝儀袋・不祝儀袋の小窓目視の際の実施例である。
【図７】  本考案祝儀袋・不祝儀袋の応用例である。
【図８】  本考案祝儀袋・不祝儀袋の展開図である。
【図９】  本考案祝儀袋・不祝儀袋で紙幣を１枚収納した際の実施例である。
【図１０】  本考案祝儀袋・不祝儀袋で紙幣を３枚収納した際の実施例である。
【図１１】  本考案祝儀袋・不祝儀袋の応用例である。
【図１２】  紙製又はビニール製ポケットの正面図である。
【図１３】  紙製又はビニール製ポケットの斜視図である。
【考案を実施するための形態】
【０００８】二つの内部形態の考案のうちの一つ目の形態の概要は図１〜３に示す通りである。祝儀袋・不祝儀袋１の内側面に紙製の仕切りを設置した構造であり、仕切りの設置の仕方は祝儀袋・不祝儀袋に対して縦の線（上下方向）に平行に配置した紙製の仕切り（縦方向）２ａ〜２ｃと、祝儀袋・不祝儀袋に対して横の線（左右方向）に平行に配置した紙製の仕切り（横方向）３の二通りである。仕切りは固定されている紙面に対して１８０度可動できるよう留められており、この仕切りは紙幣を押える役割を担う。
【０００９】また、縦の線（上下方向）に平行に配置した紙製の仕切り（縦方向）２ａ〜２ｃの片側には、取り外しが簡単に行える程度の粘着力の糊６が取り付けられており、仕切りで紙幣を押える際、紙幣がずれることなく固定できる。さらに袋の裏面下部には長方形の型で袋の実壁がくり抜かれて小窓５が設置されており、中を見ることができる透明フィルム４が袋の内側から貼られ、図６に示す通り、外側から内部に収められた紙幣の種類と枚数（金額）が視認できるようになっている。この構造の応用として図７に示す通り、紙製の仕切りの数と窓の数を増やすことにより。複数枚の紙幣が収納可能となる。
【００１０】もう一方の形態の概要は図８に示す通りである。祝儀袋・不祝儀袋１の内側面に複数の紙製又はビニール製のポケットを配置した構造である。ポケットの基本構造は図１２及び図１３に示す通りである。配置されている複数のポケットは、その基本構造は同じであるが、縦方向の長さが違うポケットであり、一定の間隔をあけて重ねながら図８に示す通りに配置してある。このポケットは紙幣を固定し、さらに紙幣を所定の箇所に収納する役割を担う。
【００１１】また、袋の裏面下部には長方形の型で袋の実壁がくり抜かれて小窓５が設置されており、中を見ることができる透明フィルム４が袋の内側から貼られ、図６に示す通り、外側から内部に収められた紙幣の種類と枚数（金額）が視認できるようになっている。この構造の応用として図１１に示す通り、ポケットの数を増やすことにより。複数枚の紙幣が収納可能となる。
【実施例】
【００１２】以下、二つの考案のうちの図１〜３に示した形態について順を追って使い方を示すと、図１のように祝儀袋・不祝儀袋を展開し、紙幣の向きは紙幣を縦方向に、さらに不祝儀袋であれば紙幣に描かれている人物画が裏で且つ下方になる向きで、紙製の仕切り（縦方向）２ａと紙製の仕切り（横方向）３に押し当てるように置き、その後、紙製の仕切り（縦方向）２ａを紙幣側に倒して図４に示すように紙幣を固定する。二枚目の紙幣においても紙製の仕切り（縦方向）２ｂと紙製の仕切り（横方向）３で前述と同様の方法で紙幣を固定する。以後、紙製の仕切り（縦方向）２ｃと紙製の仕切り（横方向）３についても同様の操作を行う。その後、紙製の仕切り（横方向）３を紙幣側に倒すと図５のようになり、収納が完了する。【００１３】紙幣を入れ終わったら祝儀袋・不祝儀袋を開いた手順と逆の手順で閉じた後、図６に示す袋裏面の小窓５を目視し、内封した紙幣の枚数（金額）と小窓から見えている枚数（金額）が一致しているかどうかを確認する。図７に示した応用例についても実施例は同様である。【００１４】また、図８に示した形態考案について順を追って使い方を示すと、図８のように祝儀袋・不祝儀袋を展開し、紙幣の向きは紙幣を縦方向に、さらに不祝儀袋であれば紙幣に描かれている人物画が裏で、且つ下方になるように、紙製又はビニール製のポケット１３ａへ紙幣を入れ、突き当たるところまで挿入する。１３ａに紙幣を入れ終わった状態が図９である。二枚目の紙幣については紙製又はビニール製のポケット１３ｂに収納し、収納の仕方は１枚目の紙幣と同様である。以降、紙製又はビニール製のポケット１３ｃについても同様の操作を行い、紙幣を収納する。紙幣を全て収納すると、図１０のようになり、収納が完了する。【００１５】紙幣を入れ終わったら祝儀袋・不祝儀袋を開いた手順と逆の手順で閉じた後、図６に示す袋裏面の小窓５を目視し、内封した紙幣の枚数（金額）と小窓から見えている枚数（金額）が一致しているかどうかを確認する。図１１に示した応用例についても実施例は同様である。
【産業上の利用可能性】
【００１６】汎用されている祝儀袋や不祝儀袋のほか、本考案を取り入れた祝儀袋・不祝儀袋の需要性があるものと思われる。
【符号の説明】
【００１７】  １．  祝儀袋・不祝儀袋
２ａ．紙製の仕切り（縦方向）
２ｂ．紙製の仕切り（縦方向）
２ｃ．紙製の仕切り（縦方向）
３．  紙製の仕切り（横方向）
４．  透明フィルム
５．  小窓
６．  糊
７．  紙幣
８ａ．紙製の仕切り（縦方向）
８ｂ．紙製の仕切り（縦方向）
８ｃ．紙製の仕切り（縦方向）
８ｄ．紙製の仕切り（縦方向）
８ｅ．紙製の仕切り（縦方向）
８ｆ．紙製の仕切り（縦方向）
８ｇ．紙製の仕切り（縦方向）
８ｈ．紙製の仕切り（縦方向）
８ｉ．紙製の仕切り（縦方向）
８ｊ．紙製の仕切り（縦方向）
９ａ．紙製の仕切り（横方向）
９ｂ．紙製の仕切り（横方向）
１０ａ．透明フィルム
１０ｂ．透明フィルム
１１ａ．小窓
１１ｂ．小窓
１２．  糊
１３ａ．紙製又はビニール製のポケット
１３ｂ．紙製又はビニール製のポケット
１３ｃ．紙製又はビニール製のポケット
１４ａ．紙製又はビニール製のポケット
１４ｂ．紙製又はビニール製のポケット
１４ｃ．紙製又はビニール製のポケット
１４ｄ．紙製又はビニール製のポケット
１４ｅ．紙製又はビニール製のポケット
１４ｆ．紙製又はビニール製のポケット
１４ｇ．紙製又はビニール製のポケット
１４ｈ．紙製又はビニール製のポケット
１４ｉ．紙製又はビニール製のポケット
１４ｊ．紙製又はビニール製のポケット
１５．  透明フィルム
１６．  窓
【図１】
0003204389.tif 000003
【図２】
0003204389.tif 000004
【図３】
0003204389.tif 000005
【図４】
0003204389.tif 000006
【図５】
0003204389.tif 000007
【図６】
0003204389.tif 000008
【図７】
0003204389.tif 000009
【図８】
0003204389.tif 000010
【図９】
0003204389.tif 000011
【図１０】
0003204389.tif 000012
【図１１】
0003204389.tif 000013
【図１２】
0003204389.tif 000014
【図１３】
0003204389.tif 000015